(57)【要約】【課題】  地震等でドアが変形した時にも避難扉を開けて避難することができるドアを提供する。【解決手段】  ドア本体１の外面板を避難扉４側に延出した延長部にヒンジ５の第１固定板を固定すると共に、前記避難扉４の側端面にヒンジ５の第２固定板を固定し、前記避難扉４の内面板をドア本体１側に延出した延長部にヒンジ５の可動板を固定し、前記第２固定板と可動板の間にバネ５９を介在させて、前記ドア本体１の側端面と避難扉４の端部との間および避難扉の側端面との間に間隙を構成した。【選択図】図２
2011226164.tif 000002
【特許請求の範囲】
【請求項１】
建物に固定した固定枠に開閉可能に取り付けたドア本体と、
前記ドア本体の開口部に開閉可能に取り付けた避難扉とからなり、
前記避難扉とドア本体との間に間隙を構成したことを特徴とする避難扉を備えたドア。
【請求項２】
前記ドア本体の外面板を避難扉側に延出した延長部にヒンジの第１固定板を固定すると共に、前記避難扉の側端面にヒンジの第２固定板を固定し、
前記避難扉の内面板をドア本体側に延出した延長部にヒンジの可動板を固定し、
前記第２固定板と可動板の間にバネを介在させて、可動板を常時内側に付勢してなり、
前記ドア本体の側端面と避難扉の延長部の端部との間に間隙を構成すると共に、
前記ドア本体の側端面と避難扉の側端面との間に間隙を構成したことを特徴とする請求項１記載の避難扉を備えたドア。
【請求項３】
前記ドア本体の内面板を避難扉側に延出した延長部にヒンジの第１固定板を固定すると共に、前記避難扉の側端面にヒンジの第２固定板を固定し、
前記避難扉の外面板をドア本体側に延出した延長部にヒンジの可動板を固定し、
前記第２固定板と可動板の間にバネを介在させて、可動板を常時外側に付勢してなり、
前記ドア本体の側端面と避難扉の延長部の端部との間に間隙を構成すると共に、
前記ドア本体の側端面と避難扉の側端面との間に間隙を構成したことを特徴とする請求項１記載の避難扉を備えたドア。
【発明の詳細な説明】
【技術分野】
【０００１】
本発明は、ドア本体の開口部に避難扉を構成したドアに関するものである。
【背景技術】
【０００２】
従来より、地震などの災害時にドアが変形して開かなかった場合に、屋外に脱出できるための非常脱出口ドアを設けたものがあった。
【０００３】
例えば特許文献１で提案された発明は、本体ドア（１１）に開口部を設け、非常脱出口ドア（１２）を設ける。非常脱出口ドア（１２）は下面に折曲がったＬ型部材とピン（１２ａ）と（１２ｂ）または突起凸で固定する。
尚非常脱出口ドアに下面の背面部、Ｌ型部材は本体ドア（１１）の開口部下面部分に引掛ける様にする。ドア（１２）の取り外しも簡単にでき強度が増す事になる。またピン（１２ａ）、ピン（１２ｂ）または突起凸とＬ型部材の縁を利用してどちらでも個別に併用できる。
【先行技術文献】
【特許文献】
【０００４】
【特許文献１】特開２００８−６３９２４号公報
【０００５】
上記特許文献１に記載された発明によれば、本体ドア（１１）と非常脱出口ドア（１２）をピン（１２ａ）とピン（１２ｂ）、または突起凸また錠前（１４）と（１４ａ）で固定されていて、間隙を有せず密着して固定されている。そのため地震によってドア（１１）が変形したときに、開口部が変形して非常脱出口ドア（１２）が開かなくなるという問題点があった。
【発明の概要】
【発明が解決しようとする課題】
【０００６】
本発明は従来例の問題点に鑑みなされたもので、建物に固定した固定枠に開閉可能に取り付けたドア本体の開口部に、ヒンジを介して避難扉を、前記ドア本体の間に間隙を有して取り付けることによって、地震等でドアが変形した時にも避難扉を開けて避難することができるドアを提供することを目的とする。
【課題を解決するための手段】
【０００７】
本発明は、建物に固定した固定枠に開閉可能に取り付けたドア本体と、前記ドア本体の開口部に開閉可能に取り付けた避難扉とからなり、前記避難扉とドア本体との間に間隙を構成したことを特徴とする避難扉を備えたドアである。
【０００８】
本発明は、前記ドア本体の外面板を避難扉側に延出した延長部にヒンジの第１固定板を固定すると共に、前記避難扉の側端面にヒンジの第２固定板を固定し、前記避難扉の内面板をドア本体側に延出した延長部にヒンジの可動板を固定し、前記第２固定板と可動板の間にバネを介在させて、可動板を常時内側に付勢してなり、前記ドア本体の側端面と避難扉の延長部の端部との間に間隙を構成すると共に、前記ドア本体の側端面と避難扉の側端面との間に間隙を構成した避難扉を備えたドアである。
【０００９】
本発明は、前記ドア本体の内面板を避難扉側に延出した延長部にヒンジの第１固定板を固定すると共に、前記避難扉の側端面にヒンジの第２固定板を固定し、前記避難扉の外面板をドア本体側に延出した延長部にヒンジの可動板を固定し、前記第２固定板と可動板の間にバネを介在させて、可動板を常時外側に付勢してなり、前記ドア本体の側端面と避難扉の延長部の端部との間に間隙を構成すると共に、前記ドア本体の側端面と避難扉の側端面との間に間隙を構成した避難扉を備えたドアである。
【発明の効果】
【００１０】
請求項１の発明によれば、避難扉はその端部がドア本体に対して間隙を有して取り付けられているから、地震等でドアが変形した時にも前記間隙の作用によって避難扉を開けて避難することができるのである。
【００１１】
請求項２、請求項３の発明によれば請求項１の効果に加え、避難扉の側端面がドア本体の側端面に対して間隙を有して取り付けられているから、前記両側端面の間にヒンジによって囲まれた空間が形成され、この空間によって遮音、断熱の効果がもたらされるのである。
また請求項２の発明によれば避難扉を内側に開け、請求項３の発明によれば避難扉を外側に開けることができる。
【図面の簡単な説明】
【００１２】
【図１】本発明の実施形態１のドアの正面図
【図２】本発明の実施形態１のドアの一部省略断面平面図
【図３】本発明の実施形態１のドアの要部拡大図
【図４】本発明の実施形態１の避難扉の作動説明図
【図５】本発明の実施形態１のヒンジの平面図
【図６】本発明の実施形態１のヒンジの斜視図
【図７】本発明の実施形態２のドアの要部拡大図
【図８】本発明の実施形態２の避難扉の作動説明図
【図９】本発明の実施形態３のドアの要部拡大図
【図１０】本発明の実施形態３の避難扉の作動説明図
【発明を実施するための形態】
【００１３】
本発明の実施形態は、建物に固定した固定枠７に蝶番９０で開閉可能に取り付けたドア本体１と、このドア本体１の開口部１ａに、戸先側のドア本体１２と吊元側のドア本体１３との間に、それぞれ間隙を有して開閉可能に取り付けた避難扉４からなるものである。
以下図面に基づいて詳細に説明する。
【００１４】
図１、図２、図３に基づいて、実施形態１の避難扉４のドア本体１への取り付け構造について説明する。
本明細書中、内側とは室内側（図２の上方）を指し、外側とは室外側（図２の下方）を指すものとし、固定枠とドア本体の中心側とは避難扉側を指すものとする。
【００１５】
まず、固定枠７にドア本体１を取り付ける。この場合、吊元側のドア本体１３は蝶番９０で固定枠７に開閉可能に取り付けられていて、シール部材９４でシールされている。
【００１６】
一方、戸先側のドア本体１２の側端面２１は、固定枠７の中心側の側端面７１との間に間隙Ｃ３を設けて取り付けられており、前記間隙Ｃ３の内側はシール部材９１でシールされている。
【００１７】
避難扉４はドア本体１に次のように取り付けられている。
すなわち戸先側のドア本体１２の中心側の側端面２３と、避難扉４の戸先側の側端面４１との間に間隙Ｃ２を設け、かつ吊元側のドア本体１３の中心側の側端面３１と、避難扉４の吊元側の内面板４２の端部４５との間に間隙Ｃ１を設け、前記側端面３１と避難扉４の側端面４３との間に間隙Ｃ４を設けて２個のヒンジ５によって取り付けられている。
このため、図１に示すように、避難扉４とドア本体１３の間には、避難扉４の上端から下端にわたって空間Ｋが構成されている。なお、ヒンジ５の数は２個に限定されない。
【００１８】
さらに戸先側のドア本体１２と避難扉４の間隙をシールするシール部材９２と、吊元側のドア本体１３と避難扉４との間隙をシールするシール部材９３を構成する。
【００１９】
次に図５、６に基づいて、前記ヒンジ５の構造を説明する。
ヒンジ５は長手方向の端部を互いに直角に固定した長方形の第１固定板５１と補助固定板５２と、この補助固定板５２の表面に固定した第２固定板５３、及び第２固定板５３に直交して配置される可動板５４と、前記第２固定板５３と可動板５４の間に介在するバネ５９からなる。
【００２０】
前記可動板５４には、長手方向の上端部と下端部の２カ所に軸５７の支持部５６，５６を構成し、支持部５６，５６の間隙を前記第２固定板５３の収容部とする。
一方、前記第２固定板５３の長手方向の上端部と下端部の２カ所に、間隙５８を有して軸５７の支持部５３ａ，５３ａを構成する。
そして、前記支持部５６、５３ａに軸５７を貫通して、可動板５４を第２固定板５３に対して回動自在に取り付けるのである。
【００２１】
前記軸５７には、第２固定板５３の間隙５８の部分にバネ５９を巻装してあり、このバネ５９の両端を延出して第２固定板５３と可動板５４の表面上に配置する。これによって、ヒンジ５の可動板５４は常に内側（矢印Ｙ方向）に付勢されているのである。
上記のように構成したヒンジ５は全体として、平面視コ字状を呈している。
【００２２】
このように構成した、ヒンジ５をドアに取り付ける場合を説明する。
図３に示すように、吊元側のドア本体１３の外面板３４を避難扉４の中心側に延長して延長部３４ａを構成し、この延長部３４ａの内側にヒンジ５の第１固定板５１を固定し、避難扉４の吊元側の側端面４３にヒンジ５の第２固定板５３を固定する。
【００２３】
そして避難扉４の内面板４２をドア本体１３側に延長して延長部４２ａを構成し、この延長部４２ａの外側にヒンジ５の可動板５４を固定する。
【００２４】
これによって、前記のように延長部４２ａの端部４５とドア本体１３の中心側の側端面３１との間に間隙Ｃ１が構成されると共に、前記側端面３１と、避難扉４の側端面４３との間に間隙Ｃ４が構成される。
なお、このヒンジ５は、本実施形態ではドア本体１３側に取り付けたが、これに限定されずヒンジ５をドア本体１２側に取り付けて避難扉４の開閉を行うこともできる。
【００２５】
次に前記のように構成した実施形態１の作用を説明する。
通常の使用状態では、避難扉４はドア本体１に取り付けられているので、ドアを開閉するとドア本体１と一体になって開閉する。
この場合は、避難扉４はヒンジ５の第２固定板５３に当接して回動が規制されているから、外側へ開けることはできない構造となっている。
【００２６】
地震等の災害によってドアに外力が加わりドア本体１が変形した場合、本実施形態のドアは、間隙Ｃ２に加え間隙Ｃ１及び間隙Ｃ４を有しているため、避難扉４が開かなくなる恐れは少ない。
すなわち、ドア本体１の変形が小さければ、間隙Ｃ１によって延長部４２ａの端部４５とドア本体１３の側端面３１との接触が避けられる。
また、ドア本体１の変形が大きく前記端部４５と側端面３１が接触した場合でも、前記間隙Ｃ４があるために、端部４５が間隙Ｃ４側に入り込み、その接触状態を和らげることができる。
またドア本体１の変形後に避難扉４を開けるときには、接触している端部４５が軸５７を中心に間隙Ｃ４側に回動して入り込み開きやすくなるため、室内の住人は、図４のように避難扉４を開けて外に出ることができるのである。
【００２７】
本実施形態では、前記間隙Ｃ３を３．５ｍｍ、間隙Ｃ２を３ｍｍ、間隙Ｃ１を３ｍｍとしたが、この間隙の値は任意に設定できる。
【００２８】
ヒンジ５とドア本体１３の側端面３１によって囲まれた空間Ｋは、前記のような作用を有すると同時に、外壁からドア本体１を経て伝わる音を遮断し、また室内の断熱、遮音効果に優れた作用を有する。そのため室内の生活環境が快適になると共に、断熱の効果で省エネルギー効果も生じる。
【００２９】
図７、図８は本発明の実施形態２を示すものである。
本実施形態は、避難扉４の外面板４４の延長部４４ｂの内側にヒンジ５の可動板５４を固定し、避難扉４の側端面４３にヒンジ５の第２固定板５３を固定し、吊元側のドア本体１３の内面板３２を避難扉４の中心側に延長した延長部３２ｂに第１固定板５１を固定して構成したものである。なお、シール９２、９３はドア本体１の内側に構成する。その他の構成、作用、効果は前記実施形態１と同様であるので説明を省略する。
この実施形態によれば、避難扉４を図８のように外側に開けることができるのである。
上述のように、ヒンジ５の取付位置を変更することにより、避難扉４を内側開きまたは外側開きとすることができる。
【００３０】
図９、図１０は、本発明の実施形態３を示すものである。
本実施形態は、ドア本体１３の外面板３４の延長部３４ａの内側にヒンジ５の第１固定板５１を固定し、ドア本体１３の側端面３１にヒンジ５の第２固定板５３を固定する。
そして避難扉４の内面板４２の延長部４２ａの外側にヒンジ５の可動板５４を固定する。
【００３１】
これによって、延長部３４ａの端部と避難扉４の側端面４３との間に間隙Ｃ１が構成されると共に、前記側端面４３と、ドア本体１３の側端面３１との間に間隙Ｃ４が構成される。
その他の構成は実施形態１と同様であり、かつ作用、効果も実施形態１と同様のため省略する。
【符号の説明】
【００３２】
１ ドア本体
４  避難扉
５  ヒンジ
７  固定枠
１２  戸先側のドア本体
１３  吊元側のドア本体
２３  ドア本体の側端面
３１  ドア本体の側端面
４１  避難扉の側端面
４２  避難扉の内面板
４３  避難扉の側端面
４４  避難扉の外面板
４５  避難扉の端部
５１  ヒンジの第１固定板
５３  ヒンジの第２固定板
５４  ヒンジの可動板
Ｃ１、Ｃ２、Ｃ３  間隙
Ｋ  空間
【図１】
2011226164.tif 000003
【図２】
2011226164.tif 000004
【図３】
2011226164.tif 000005
【図４】
2011226164.tif 000006
【図５】
2011226164.tif 000007
【図６】
2011226164.tif 000008
【図７】
2011226164.tif 000009
【図８】
2011226164.tif 000010
【図９】
2011226164.tif 000011
【図１０】
2011226164.tif 000012